(57)【要約】【課題】本発明は、キートップを上下動自在に支持する一対のリンク部材にキートップを上方に弾性付勢する付勢部材材を一体形成したキースイッチを提供すること。【解決手段】本発明のキースイッチ１の第１、第２リンク部材５、８は、第１リンク部材５の回動係支部５ａを、第２リンク部材８の回動係支部８ａの下部に位置させた状態で、それぞれの回動係支部５ａ、８ａを交差させて組み合わせて、キートップ９を基板２から所定寸法離れた上昇位置に第１リンク部材５を介して弾性付勢可能な付勢部材７を第１リンク部材５に一体形成した。【選択図】　　　　図１
2004134170.tif 000002
【特許請求の範囲】
【請求項１】
キートップと、このキートップを上下動可能に係支可能な第１、第２のリンク部材と、この第１、第２リンク部材を支持したスイッチ部を有する基板とを備え、前記第１、第２リンク部材は、前記キートップに回動自在に係支可能な回動係支部と、この回動支持部から略コ字状に延出形成した一対の腕部と、この一対の腕部の端部に形成した前記基板にスライド自在に係合可能なスライド係支部とをそれぞれ有し、
前記第１、第２リンク部材は、それぞれの前記回動係支部が交差状になるように前記スライド係支部を前記基板にスライド自在に係合させた状態で、前記第１リンク部材の前記腕部を上方に付勢する付勢部材を配設し、この付勢部材によって前記キートップが前記基板から所定高さの上昇位置に弾性付勢されるようにしたことをことを特徴とするキースイッチ。
【請求項２】
前記第１、第２リンク部材は、前記第２リンク部材の前記回動係支部の下部に前記第１リンク部材の前記回動係支部を位置させて、それぞれの前記回動係支部を交差させて、それぞれの前記スライド係支部を前記基板にスライド自在に係合させたことを特徴とする請求項１記載のキースイッチ。
【請求項３】
前記付勢部材は、前記第１リンク部材のいずれか一方の腕部の前記スライド係支部に一体形成したことを特徴とする請求項１、または２記載のキースイッチ。
【請求項４】
前記第１、第２リンク部材は、弾性を有する金属棒を折り曲げて前記回動係支部と前記一対の腕部と前記スライド係支部とをそれぞれ形成し、前記付勢部材は、前記第１リンク部材の前記いずれか一方の前記スライド係支部を前記腕部に対して所定の角度を有して折り返して形成し、
前記付勢部材を前記基板に密着させた状態で、前記第１リンク部材のそれぞれの前記スライド係支部を前記基板に形成した係合部に係合させると、前記一対の腕部が前記基板に対して前記所定の角度で傾き、前記回動係支部に係支した前記キートップが前記上昇位置に位置するようにしたことを特徴とする請求項１乃至３のいずれかに記載のキースイッチ。
【請求項５】
前記第１、第２リンク部材のいずれか一方には、前記スイッチ部をＯＮ／ＯＦＦ操作可能なスイッチ操作部を一体形成したことを特徴とする請求項１乃至４のいずれかに記載のキースイッチ。
【請求項６】
前記スイッチ操作部は、前記キートップを前記上昇位置に上昇させた状態で、前記第１リンク部材の前記付勢部材を形成してない側の前記スライド係支部、または前記第２リンク部材の前記一対の腕部に形成した前記スライド係支部のいずれか一方を、前記腕部に対して前記所定の角度より小さい角度で折り返して形成したことを特徴とする請求項５記載のキースイッチ。
【請求項７】
前記基板側、あるいは前記キートップ側には、前記上昇位置にある前記キートップを押圧して降下させたときに、クリック感を創出可能なクリック創出部材を配設したことを特徴とする請求項１乃至６のいずれかに記載のキースイッチ。
【請求項８】
前記クリック創出部材は、前記キートップが降下中において、前記第１、第２リンク部材の前記腕部のいずれか一方が当接可能な当接部を有し、前記キートップを降下させて前記当接部に当接する前記腕部が撓んで前記当接部を乗り越える時に前記クリック感を創出するようにしたことを特徴とする請求項７記載のキースイッチ。
【請求項９】
前記第１、第２リンク部材は、前記回動係支部のそれぞれが前記キートップの裏面に回動自在に係支され、前記スライド係支部のそれぞれが前記基板の前記係合部にスライド可能に係合され、降下させた前記キートップが前記付勢部材の付勢力で上昇すると、前記スライド係支部が前記係合部内の奥壁に当接するようにしたことを特徴とする請求項１乃至８のいずれかに記載のキースイッチ。
【発明の詳細な説明】
【０００１】
【発明の属する技術分野】
本発明はキースイッチに係わり、パソコン等の入力機器に使用して好適なキースイッチに関する。
【０００２】
【従来の技術】
従来、パソコン等の入力機器に使用されるキースイッチは、スイッチ部を形成した基板が配設され、この基板上には単独に形成された復帰バネが配設され、この復帰バネを介してキートップが上下動可能に配設されている。
前記キートップは、一対のアームバーに支持された状態で、復帰バネで基板から離れる方向の上方に弾性付勢されている。
そして、キートップは、外形が例えば略矩形状に形成され、この略矩形状の四方には、側壁が互いに対向して形成されている。
【０００３】
前記一対のアームバーは、直線状の基部と、この基部の両端部をコ字状に折り曲げて一対の腕部とがそれぞれ形成されている。
そして、一方のアームバーは、基部が基板側に回動自在に係支され、一対の腕部の端部がキートップの互いに対向する一方の側壁にスライド自在に支持されている。また、他方のアームバーは、基部が一方のアームバーの基部と直交した状態で基板に回動自在に係支され、一対の腕部の端部がキートップの互いに対向する他方の側壁にスライド自在に支持さている。
【０００４】
このような一対のアームバーに支持されたキートップは、復帰バネで上方に弾性付勢された状態で基板から所定高さの上昇位置で停止している。
この上昇位置にあるキートップの上面を押圧操作すると、復帰バネの付勢力に抗してキートップが基板側に降下し、スイッチ部が押圧されてスイッチ回路が切り換わるようになっている。
このような従来のキースイッチは、一対のアームバーにより水平状態で支持され、キートップの押圧位置がばらついても、キートップを常に水平状態でなめらかに降下させることができ、操作フィーリングが良かった。
【０００５】
【特許文献】
特開昭６３−３０８８２４号公報
実開平　１−１７９３３０号公報
【０００６】
【発明が解決しようとする課題】
しかし、前述したような従来のキースイッチは、キートップを上昇位置に弾性付勢する単独の独立した復帰バネが必要であり、部品点数が多くなる問題があった。また、単独の復帰バネを係支するためのバネ係支部をキートップおよび基板に形成しなければならず、キートップおよび基板の形状が複雑になる問題があった。
本発明は前述したような問題点に鑑みてなされたもので、キートップを上下動自在に支持する一対のリンク部材にキートップを上方に弾性付勢する付勢部材材を一体形成したキースイッチを提供することを目的とする。
【０００７】
【課題を解決するための手段】
前記課題を解決するための第１の解決手段として本発明のキースイッチは、キートップと、このキートップを上下動可能に係支可能な第１、第２のリンク部材と、この第１、第２リンク部材を支持したスイッチ部を有する基板とを備え、前記第１、第２リンク部材は、前記キートップに回動自在に係支可能な回動係支部と、この回動支持部から略コ字状に延出形成した一対の腕部と、この一対の腕部の端部に形成した前記基板にスライド自在に係合可能なスライド係支部とをそれぞれ有し、前記第１、第２リンク部材は、それぞれの前記回動係支部が交差状になるように前記スライド係支部を前記基板にスライド自在に係合させた状態で、前記第１リンク部材の前記腕部を上方に付勢する付勢部材を配設し、この付勢部材によって前記キートップが前記基板から所定高さの上昇位置に弾性付勢されるようにしたことをことを特徴とする。
【０００８】
また、前記課題を解決するための第２の解決手段として　前記第１、第２リンク部材は、前記第２リンク部材の前記回動係支部の下部に前記第１リンク部材の前記回動係支部を位置させて、それぞれの前記回動係支部を交差させて、それぞれの前記スライド係支部を前記基板にスライド自在に係合させたことを特徴とする。
【０００９】
また、前記課題を解決するための第３の解決手段として、前記付勢部材は、前記第１リンク部材のいずれか一方の腕部の前記スライド係支部に一体形成したことを特徴とする。
【００１０】
また、前記課題を解決するための第４の解決手段として、前記第１、第２リンク部材は、弾性を有する金属棒を折り曲げて前記回動係支部と前記一対の腕部と前記スライド係支部とをそれぞれ形成し、前記付勢部材は、前記第１リンク部材の前記いずれか一方の前記スライド係支部を前記腕部に対して所定の角度を有して折り返して形成し、前記付勢部材を前記基板に密着させた状態で、前記第１リンク部材のそれぞれの前記スライド係支部を前記基板に形成した係合部に係合させると、前記一対の腕部が前記基板に対して前記所定の角度で傾き、前記回動係支部に係支した前記キートップが前記上昇位置に位置するようにしたことを特徴とする。
【００１１】
また、前記課題を解決するための第５の解決手段として、前記第１、第２リンク部材のいずれか一方には、前記スイッチ部をＯＮ／ＯＦＦ操作可能なスイッチ操作部を一体形成したことを特徴とする。
【００１２】
また、前記課題を解決するための第６の解決手段として、前記スイッチ操作部は、前記キートップを前記上昇位置に上昇させた状態で、前記第１リンク部材の前記付勢部材を形成してない側の前記スライド係支部、または前記第２リンク部材の前記一対の腕部に形成した前記スライド係支部のいずれか一方を、前記腕部に対して前記所定の角度より小さい角度で折り返して形成したことを特徴とする。
【００１３】
また、前記課題を解決するための第７の解決手段として、前記基板側、あるいは前記キートップ側には、前記上昇位置にある前記キートップを押圧して降下させたときに、クリック感を創出可能なクリック創出部材を配設したことを特徴とする。
【００１４】
また、前記課題を解決するための第８の解決手段として、前記クリック創出部材は、前記キートップが降下中において、前記第１、第２リンク部材の前記腕部のいずれか一方が当接可能な当接部を有し、前記キートップを降下させて前記当接部に当接する前記腕部が撓んで前記当接部を乗り越える時に前記クリック感を創出するようにしたことを特徴とする。
【００１５】
また、前記課題を解決するための第９の解決手段として、前記第１、第２リンク部材は、前記回動係支部のそれぞれが前記キートップの裏面に回動自在に係支され、前記スライド係支部のそれぞれが前記基板の前記係合部にスライド可能に係合され、降下させた前記キートップが前記付勢部材の付勢力で上昇すると、前記スライド係支部が前記係合部内の奥壁に当接するようにしたことを特徴とする。
【００１６】
【発明の実施の形態】
以下に、本発明におけるキースイッチの１実施の形態について図面に基づいて説明する。図１は本発明のキースイッチの概略斜視図であり、図２は本発明のキースイッチの平面図であり、図３は図２の側面図であり、図４は本発明に係わるクリック創出部材を説明する概略図であり、図５は本発明に関するその他の実施に形態を説明する図である。
【００１７】
まず、本発明のキースイッチ１の１実施の形態は、図１〜図３に示すように、最下部に平坦状で板状の絶縁材からなる基板２が配設されており、この基板２には、所定深さの凹部２ａが形成され、この凹部２ａの底面に導電性の固定接点２ｂが印刷等により形成されている。
また、基板２には、後述する第１リンク部材５をスライド係支可能な第１、第２係合部２ｃ、２ｄと、後述する第２リンク部材６をスライド係支可能な第３、第４係合部２ｅ、２ｆとが形成され、このそれぞれの第１〜第４の係合部２ｃ〜２ｆは、一方側が開放された開口部と他方側に形成した奥壁とで略Ｌ字状に形成されている。
【００１８】
また、基板２には、後述する第２リンク部材８の一方の腕部８ｂが当接可能なクリック創出部材３が形成されている。
このクリック創出部材３は、図４に示すように、階段状に形成されて、後述する第２リンク部材８の一方に腕部８ｂが当接可能な平面上の当接部３ａと、この当接部３ａより高さの低い受け面３ｂとによって階段状に形成されている。
【００１９】
また、基板２の上面には、絶縁フィルムからなるシート部材４が配設され、このシート部材４には、固定接点２ｂと対抗する位置に所定の隙間を有して可動接点４ａが形成されている。
前記固定接点２ｂと可動接点４ａとでスイッチ部が構成され、可動接点４ａが固定接点２ｂに接触すると、スイッチ部がＯＮ／ＯＦＦしてスイッチ回路が切り換わるようになっている。
また、シート部材４を介した基板２上には、ピアノ線等からなる弾性を有する金属棒を折り曲げて、第１リンク部材５と第２リンク部材８とが配設されている。
【００２０】
前記第１リンク部材５は、後述するキートップ９に回動自在に係支可能な回動係支部５ａが、基板２の表面と平行な直線状に形成され、回動係支部５ａから略コ字状に折り曲げて延出形成した一方と他方の一対の腕部５ｂ、５ｃとが形成されている。
また、一対の腕部５ｂ、５ｃ端部を互いに内向きに折り曲げて、基板２の第１、第２係合部２ｃ、２ｄにスライド自在に係合可能なスライド係支部５ｄ、５ｅがそれぞれ形成されている。
【００２１】
また、第１リンク部材５の一方の腕部５ｂのスライド係支部５ｄには、回動係支部５ａを基板２から離れる方向の上方に弾性付勢可能な付勢部材６が一体形成されている。
この付勢部材６は、第１リンク部材５の一方の腕部５ｂのスライド係支部５ｄを一方の腕部５ｂと所定の角度αを有して折り返して形成されている。
そして、付勢部材６を基板２に密着させた状態で、第１リンク部材５のそれぞれのスライド係支部５ｄ、５ｅを基板２に形成した係合部２ｃ、２ｄに係合させると、一対の腕部５ｂ、５ｃが基板２に対して所定の角度αで傾き、回動係支部５ａが基板２から所定高さ離間する。
このことにより、回動係支部５ａに係支した後述するキートップ９が所定高さの上昇位置に弾性付勢されるようになっている。
【００２２】
また、付勢部材６を形成してない側の他方の腕部５ｃのスライド係支部５ｅには、スイッチ操作部７が形成されており、このスイッチ押圧部７が可動接点４ａを形成した部分のシート部材４を押圧することにより、スイッチ部がＯＮ／ＯＦＦ操作可能になっている。
前記スイッチ操作部７は、他方の腕部５ｃのスライド係支部５ｅを、他方の腕部５ｃと角度αより小さい角度で折り返して形成され、先端部を下方側に略半円状に折り曲げて押圧部７ａを形成している。この押圧部７ａが可動接点４ａを形成した部分のシート部材４を押圧可能になっている。
前述したような第１リンク部材５は、付勢部材６を他方の腕部５ｃ側に形成し、スイッチ操作部７を一方の腕部５ｂ側に形成したものでも良い。
【００２３】
また、第２リンク部材８は、後述するキートップ９に回動係支可能な回動係支部８ａが、基板２の表面と平行な直線状に形成され、回動係支部８ａの下部に第１リンク部材５の回動係支部５ａを位置させて、それぞれの回動係支部５ａ、８ａを略直交する交差状に組み合わされている。
また、第２リンク部材８は、回動係支部８ａの両端部が、図１に示すように、回動係支部８ａと直交する方向に互いに対向させて略コ字状に折り曲げされて、一対の腕部８ｂ、８ｃが形成されている。
即ち、一対の腕部８ｂ、８ｃは、回動支持部８ａの両端部から互いに対向させて延長形成されている。
【００２４】
また、一対の腕部８ｂ、８ｃの端部側で基板２に接する部分には、互いに対向して内向きに折り曲げてスライド係支部８ｄ、８ｅがそれぞれ形成され、このスライド係支部８ｄ、８ｅが、基板２の第３、第４係合部２ｅ、２ｆにスライド自在に係合するようになっている。
前述したような第１、第２リンク部材５、８は、第２リンク部材８の回動係支部８ａが第１リンク部材５の回動係支部５ａの上部に位置して交差状に組み合わされているので、付勢部材６で第１リンク部材５が上方に付勢されることで、図１に示すように、それぞれの回動係支部５ａ、８ａが基板２から所定高さの位置に上昇するようになっている。
また、第１リンク部材５を介して付勢部材６で付勢されて上方に位置する第２リンク部材８は、一方の腕部８ｂが、図４に示すように、基板２に形成したクリック創出部材３の当接部３ａ上に位置するようになっている。
【００２５】
また、交差状に組み合わされた第１、第２リンク部材５、８の回動係支部５ａ、８ａには、キートップ９（２点鎖線で示す）が上下動可能に支持され、付勢部材６によって、基板２から所定高さの位置に弾性付勢されている。
前記キートップ９の裏面には、複数の係支部９ａが形成されて、この係支部９ａに、第１、第２リンク部材５、８の回動係支部５ａ、８ａが回動自在に係支されている。
そして、キートップ９が所定高さの上昇位置にある時は、それぞれのスライド係支部５ｄ、５ｅおよび８ｄ、８ｅが、第１〜第４の係合部２ｃ〜２ｆの奥壁に当接することにより、キートップ９が上昇位置より上に上昇しないようになっている。
【００２６】
また、キースイッチ９が上昇位置にあるときの第１リンク部材５は、図３に示すように、基板２上に密着した付勢部材６により、一方の腕部５ｂと所定の角度αを有してキートップ９を基板２〜所定高さの上昇位置に弾性付勢している。
即ち、キートップ９の所定高さの上昇位置は、図３に示す付勢部材６と腕部５ｂとで形成する折り曲げ角度αを変えることにより可変可能になっている。
また、スイッチ操作部７は、付勢部材６と腕部５ｂとの角度αより小さい角度で折り返されているので、キートップ９を押圧して降下させることにより、押圧部７ａが、可動接点４ａを形成した部分のシート部材４を押圧可能になっている。
【００２７】
このような本発明のキースイッチ１の動作を説明すると、まず、図３に示すように、所定高さの上昇位置にあるキートップ９を、矢印Ｂの下方に押圧操作すると、第１、第２リンク部材５、８ａが付勢部材６の付勢力に抗して下方に押圧される。すると、第１、第２リンク部材５、８は、それぞれのスライド係支部５ｄ、５ｅ、８ｄ、８ｅが、第１〜第４係合部２ｃ〜２ｆの開口部側にスライドして、それぞれの腕部５ｂ、５ｃ、８ｂ、８ｃが基板２と略平行になる。
この時、第２リンク部材の腕部８ｂが、クリック創出部材３の当接部３ａに当接し、その後当接部３ａを矢印Ａ方向に乗り越えて受け面３ｂ上に位置する。
前記第２リンク部材８の腕部８ｂが、当接部３ａを乗り越えると、キートップ９を押圧操作していた押圧力が急に軽くなって、クリック感が創出されて、キートップ９を押圧していた操作者がクリック感を感じることができる。
【００２８】
このクリック感が創出されと同時、あるいはその後に、スイッチ操作部７の押圧部７ａがシート部材４を押圧して、可動接点４ａが固定接点２ｂに接触する。このことにより、スイッチ回路が切り換わってスイッチ部がＯＮされ、パソコン等の入力機器に所望の入力を行うことができる。
その後、キートップ９に加えていた押圧力を解除すると、付勢部材６の付勢力で、第１、第２リンク部材５、８が上昇して、キートップ９が所定高さの上昇位置に復帰する。同時に、クリック創出部３の当接部３ａを乗り越えていた第２リンク部材の腕部８ｂが、再度当接部３ａ上に復帰する。
【００２９】
このような本発明のキースイッチ１は、弾性を有する金属棒を折り曲げて形成した第１、第２リンク部材５、８で、キートップ９を上下動可能に支持すると共に、付勢部材６で付勢する第１リンク部材５によって、キートップ９を所定高さの上昇位置に弾性付勢することができ、従来例の様な復帰バネが不要になり、構造が簡単で、部品点数が少なくて、軽量化が可能である。
また、クリック創出部材３を配設することによって、小さなストロークでクリック感を創出することができ、薄型化が可能である。
【００３０】
また、本発明の実施の形態では、第１、第２リンク部材５、８を金属棒で説明したが、弾性のある樹脂材料で形成しても良い。
また、弾性部材６は第１リンク部材５に一体形成したもので説明したが、基板２と一方の腕部５ｂとの間に、スポンジ等（図示せず）の弾性を有するものを配設して、第１リンク部材５を上方に付勢するようにしたものでも良い。
【００３１】
また、スイッチ操作部７は、付勢部材６が形成されてない側の第１リンク部材５のスライド係支部５ｅに形成したもので説明したが、第２リンク部材８の一方の腕部８ｂ、または他方の腕部８ｃのスライド係支部８ｄ、８ｅのいずれかを折り返して形成したものでも良い。
また、クリック創出部材３を基板２側に形成したもので説明したが、キートップ９側に形成（図示せず）したものでも良い。
また、クリック創出部材３は、第２リンク部材８の一方の腕部８ｂが当接可能な位置に形成したが、第１、第２リンク部材５、８の腕部５ｂ、５ｃまたは８ｂ、８ｃのいずれかが当接可能な位置であれば良い。
また、第１、第２のインク部材５、８の回動係止部５ａ、８ａは、互いに直交させたもので説明したが、所定の角度をもって交差させたものでも良い。
【００３２】
また、本発明の実施の形態では、第２リンク部材８の回動係支部８ａの下部に第１リンク部材５の回動係支部５ａを位置させて、それぞれの回動係支部５ａ、８ａを交差させたもので説明したが、その他の実施の形態のキースイッチ１１として、第１、第２リンク部材５、８は、図５に示すように、それぞれの回動係支部５ａ、８ａを直接交差させないで、第１リンク部材５の回動係支部５ａの延長線上に第２リンク部材８の回動係支部８ａを交差状に配置したものでも良い。
【００３３】
即ち、第１、第２リンク部材５、８は、それぞれの回動係支部５ａ、８ａが交差状になるように、それぞれのスライド係支部５ｄ、５ｅ、８ｄ、８ｅを基板２にスライド自在に係合させたものでも良い。
このような、キースイッチ１１は、第１リンク部材５の付勢部材６によってキートップ９が所定の上昇位置に弾性付勢されることにより、第２リンク部材８が上昇したキートップ９に引っ張られて上昇する。
そのために、キートップ９の押圧場所がばらついても、キートップ９を水平状態で降下させることができる。
【００３４】
【発明の効果】
以上説明したように、本発明のキースイッチの第１、第２リンク部材は、それぞれの回動係支部が交差状になるようにスライド係支部を基板にスライド自在に係合させた状態で、第１リンク部材の腕部を上方に付勢する付勢部材を配設し、この付勢部材によってキートップが基板から所定高さの上昇位置に弾性付勢されるようにしたので、キートップの押圧場所がばらついても、第１、第２リンク部材を介して付勢部材の付勢力に抗してキートップを水平状態でスムーズに降下させることができ、操作性の良いキースイッチを提供できる。
【００３５】
また、第１、第２リンク部材は、第２リンク部材の回動係支部の下部に第１リンク部材の回動係支部を位置させて、それぞれの回動係支部を交差させて、それぞれのスライド係支部を基板にスライド自在に係合させたので、付勢部材で第１、第２リンク材の両方を上方に付勢することができ、キートップを更に確実に水平状態で降下させることができる。
【００３６】
また、付勢部材は、第１リンク部材のいずれか一方の腕部のスライド係支部に一体形成したので、部品点数を削減できる。また、付勢部材でキートップを所定高さの上昇位置に弾性付勢することができ、部品点数の少ないキースイッチを提供できる。
【００３７】
また、付勢部材を基板に密着させた状態で、第１リンク部材のそれぞれのスライド係支部を基板に形成した係合部に係合させると、一対の腕部が基板に対して所定の角度で傾き、回動係支部に係支したキートップが浄書内に位置するようにしたので、キートップを付勢部材の付勢力で確実に上昇位置に弾性付勢することができ、操作性がよいキースイッチを提供できる。
【００３８】
また、第１、第２リンク部材のいずれか一方には、スイッチ部をＯＮ／ＯＦＦ操作可能なスイッチ操作部を一体形成したので、部品点数を削減してコストダウン可能なキースイッチを提供できる。
【００３９】
また、スイッチ操作部は、キートップを上昇位置に上昇させた状態で、第１リンク部材の付勢部材を形成してない側のスライド係支部、または第２リンク部材の前記スライド係支部のいずれかを腕部に対して角度αより小さい角度で折り返して形成したので、キートップを押圧して降下中にスイッチ操作部がスイッチ部を確実にＯＮ操作することができ、スイッチ部の操作性が良い。
【００４０】
また、基板側、あるいはキートップ側には、上昇位置にある前記キートップを押圧して降下させたときに、クリック感を創出可能なクリック創出部材を配設したので、キートップを操作してクリック感を感じたときに、スイッチＯＮされたことを認識するすることができ、操作性の良いキースイッチを提供できる。
【００４１】
また、クリック創出部材は、キートップが降下中において、第１、第２リンク部材の腕部のいずれかが当接可能な当接部からなり、キートップを降下させて当接部に当接する腕部のいずれかが当接部を乗り越える時にクリック感を創出するようにしたので、キートップを押圧する操作者が確実にクリック感を感じることができ操作性がよい。
【００４２】
また、降下させたキートップが付勢部材の付勢力で上昇すると、スライド係支部が係合部内の奥壁に当接するようにしたので、キートップを所定高さの上昇位置で確実に停止させることができ、キートップの上昇位置がバラツキのないキースイッチを提供できる。
【図面の簡単な説明】
【図１】本発明のキースイッチの概略斜視図である。
【図２】本発明のキースイッチの平面図である。
【図３】図２の側面図である。
【図４】本発明に係わるクリック創出部材を説明する概略図である。
【図５】本発明に関するその他の実施に形態を説明する図である。
【符号の説明】
１　本発明のキースイッチ
２　基板
２ｂ　固定接点
２ｃ〜２ｆ　第１〜第４の係合部
３　クリック創出部材
４　シート部材
４ａ　可動接点
５　第１リンク部材
５ａ　回動係支部
５ｂ、５ｃ　腕部
５ｄ、５ｅ　スライド係支部
６　付勢部材
７　スイッチ操作部
７ａ　押圧部
８　　第２リンク部材
８ａ　回動係支部
８ｂ、８ｃ　腕部
８ｄ、８ｅ　スライド係支部
９　キートップ
【図１】
2004134170.tif 000003
【図２】
2004134170.tif 000004
【図３】
2004134170.tif 000005
【図４】
2004134170.tif 000006
【図５】
2004134170.tif 000007